Podtech/llm-jp-corpus-v4-ja_patent huggingface dataset:
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
天井の上方に配置された第１の温度センサそれぞれにより感知されたそれぞれの温度レベルを各々が示す、１つ以上の第１の信号を受信し、前記天井の下方に配置された第２の温度センサそれぞれにより感知されたそれぞれの温度レベルを各々が示す、１つ以上の第２の信号を受信する、通信インターフェースと、
前記１つ以上の第１の信号に基づいて第１のヒートマップを生成し、
前記１つ以上の第２の信号に基づいて第２のヒートマップを生成し、
前記天井の上方又は下方の温度異常を特定するために前記第１のヒートマップと前記第２のヒートマップとを比較し、これにより前記温度異常を示す出力を生成する、検出ロジックと
を含む、デバイス。
【請求項２】
前記検出ロジックは、前記比較に基づき前記温度異常の位置を特定し、前記出力は、前記温度異常の前記位置を示す、
請求項１に記載のデバイス。
【請求項３】
前記検出ロジックは、前記比較に基づき前記温度異常の原因を決定し、前記出力は、前記温度異常の前記原因を示す、
請求項１又は２に記載のデバイス。
【請求項４】
前記検出ロジックは、前記温度異常の前記原因を緩和するために、前記温度異常の前記原因に基づき１つ以上の温度制御デバイスを制御する、
請求項３に記載のデバイス。
【請求項５】
前記デバイスは、前記１つ以上の第１の信号と前記１つ以上の第２の信号との前記比較に基づき検出されるべき少なくとも１つのそれぞれの差に関して前記温度異常を定義する、少なくとも１つの所定の基準を記憶するメモリをさらに含み、
プロセッサは、前記少なくとも１つの所定の基準を参照することにより、前記比較を実行する、
請求項１乃至４の何れか一項に記載のデバイス。
【請求項６】
前記温度異常は、ホットスポットである、
請求項１乃至５の何れか一項に記載のデバイス。
【請求項７】
前記温度異常は、コールドスポットである、
請求項１乃至５の何れか一項に記載のデバイス。
【請求項８】
前記第１及び第２の温度センサの各々は、受動赤外線センサ、照明器具内のドライバ、電力供給装置、気候システム、サーモパイル、パイロメータ、サーミスタ、熱電対、及びバイメタルストリップのうちの１つである、請求項１乃至７の何れか一項に記載のデバイス。
【請求項９】
通信インターフェース及び検出ロジックを含むデバイスと、
天井の上方に配置された第１の温度センサと、
前記天井の下方に配置された第２の温度センサと
を含む、温度センサのネットワークにおける潜在的危険を検出するためのシステムであって、
前記通信インターフェースは、前記第１の温度センサにより感知された温度レベルを示す１つ以上の第１の信号を受信し、前記第２の温度センサにより感知された温度レベルを示す１つ以上の第２の信号を受信し、
前記検出ロジックは、前記１つ以上の第１の信号に基づいて第１のヒートマップを生成し、前記１つ以上の第２の信号に基づいて第２のヒートマップを生成し、前記天井の上方又は下方の温度異常を特定するために、前記第１のヒートマップと前記第２のヒートマップとを比較し、これにより、前記温度異常を示す出力を生成する、システム。
【請求項１０】
前記天井は水平な天井である、請求項９に記載のシステム。
【請求項１１】
前記１つ以上の第１の信号は、複数の第１の熱センサのうちのそれぞれのうちの１つにより感知されたそれぞれの温度レベルを各々が示す、複数の第１の信号であり、前記１つ以上の第２の信号は、複数の第２の熱センサのうちのそれぞれのうちの１つにより感知されたそれぞれの温度レベルを各々が示す、複数の第２の信号である、請求項９又は１０に記載のシステム。
【請求項１２】
天井の上方に配置された第１の熱センサにより感知された温度レベルを示す１つ以上の第１の信号を受信するステップと、
前記天井の下方に配置された第２の熱センサにより感知された温度レベルを示す１つ以上の第２の信号を受信するステップと、
前記１つ以上の第１の信号に基づいて第１のヒートマップを生成するステップと、
前記１つ以上の第２の信号に基づいて第２のヒートマップを生成するステップと、
前記天井の上方又は下方の温度異常を特定するために、前記第１のヒートマップと前記第２のヒートマップとを比較するステップと、
前記温度異常を示す出力を生成するステップと
を含む、方法。
【請求項１３】
１つ以上のプロセッサ上で実行された場合に、請求項１２に記載の方法を実行する、コンピュータ可読記憶媒体上に具体化された、コンピュータプログラム。
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
少なくとも0.05から最大10.0百万分率（ppm）の濃度の希薄過酸化水素（DHP）ガスおよび0.015百万分率（ppm）以下のオゾンを含むクリーンルーム。
【請求項２】
前記クリーンルームは、ISO  14644クラス1のクリーンルーム、ISO  14644クラス2のクリーンルーム、ISO  14644クラス3のクリーンルーム、ISO  14644クラス4のクリーンルーム、ISO  14644クラス5のクリーンルーム、ISO  14644クラス6のクリーンルーム、ISO  14644クラス7のクリーンルーム、またはISO  14644クラス8のクリーンルームである、請求項1に記載のクリーンルーム。
【請求項３】
前記クリーンルームは、BS  5295クラス1のクリーンルーム、BS  5295クラス2のクリーンルーム、BS  5295クラス3のクリーンルーム、またはBS  5295クラス4のクリーンルームである、請求項1に記載のクリーンルーム。
【請求項４】
前記クリーンルームは、EU  GMPグレードAのクリーンルーム、EU  GMPグレードBのクリーンルーム、EU  GMPグレードCのクリーンルーム、EU  GMPグレードDのクリーンルームである、請求項1に記載のクリーンルーム。
【請求項５】
前記クリーンルームは、モジュール式のクリーンルームである、請求項1に記載のクリーンルーム。
【請求項６】
前記補給空気システムは、30％ASHRAEフィルタ、60％ASHRAEフィルタ、または95％ASHRAEフィルタから選択される1つ以上のフィルタを含む、請求項1に記載のクリーンルーム。
【請求項７】
前記クリーンルームは、乱流クリーンルームである、請求項1に記載のクリーンルーム。
【請求項８】
前記クリーンルームは、層流クリーンルームである、請求項1に記載のクリーンルーム。
【請求項９】
DHPガスを含む前記クリーンルームは、職業安全衛生管理局（OSHA）、国立労働安全衛生研究所（NIOSH）、または米国産業衛生専門家会議（ACGIH）規格による連続した人間の滞在にとって安全である、請求項1に記載のクリーンルーム。
【請求項１０】
前記クリーンルームは、製薬用クリーンルームである、請求項1に記載のクリーンルーム。
【請求項１１】
前記クリーンルームは、生物薬剤用クリーンルームである、請求項1に記載のクリーンルーム。
【請求項１２】
前記クリーンルームは、半導体製造のためのクリーンルームである、請求項1に記載のクリーンルーム。
【請求項１３】
前記クリーンルームは、浮遊分子状汚染物質のレベルが低減されている、請求項1に記載のクリーンルーム。
【請求項１４】
換気回数が、毎時1〜360回の換気（ACH）である、請求項1に記載のクリーンルーム。
【請求項１５】
平均気流速度が、0.005m／s〜0.508m／sである、請求項8に記載のクリーンルーム。
【請求項１６】
前記クリーンルームは、疾病管理予防センターによって、バイオセーフティレベル1（BSL−1）、バイオセーフティレベル2（BSL−2）、バイオセーフティレベル3（BSL−3）、またはバイオセーフティレベル4（BSL−4）として指定された生物学的封じ込め環境を備える、請求項1に記載のクリーンルーム。
【請求項１７】
少なくとも0.05百万分率（ppm）の濃度のDHPガスを前記クリーンルームに供給する方法であって、表面に触媒を有する通気性の基板構造と光源とを含むPHPG発生装置を取り付けることを含み、空気が前記通気性基板構造を通って流れ、前記装置はPHPGを生成して、前記通気性基板構造から離れるようにそれを導く、方法。
【請求項１８】
前記PHPG発生装置により生成される前記DHPガスは、水和作用、オゾン、プラズマ種、および有機種を含んでいない、請求項17に記載の方法。
【請求項１９】
前記DHPガスは気化した過酸化水素液体から調製されない、請求項17に記載の方法。
【請求項２０】
シリコンウエハを生産する間の有機種の吸着により誘発される汚染を低減する方法であって、少なくとも0.05百万分率（ppm）の濃度のDHPガスをシリコンウエハ生産設備のクリーンルームに供給することを含む、方法。
【請求項２１】
前記有機種は、ステアリン酸、ブチルヒドロキシトルエン、シロキサン、4−ドデシルベンゼンスルホン酸、n−ペンタデカン、ビス（2−エチルヘキシル）ベンゼン−1，2−ジカルボキシレート（DOP）、3，4−ジブチルフタル酸（DBP）、ジエチルフタレート（DEP）、リン酸トリス（2−クロロエチル）（TCEP）、リン酸トリフェニル（TPP）、リン酸トリエチル（TEP）、ヘキサンジオエート（hexanedioate）（DOA）、2，2−ジブチルヘキサン二酸（DBA）、および2，6−ジtert−ブチル−4−メチルフェノール（BHT）からなる群から選択される、請求項20に記載の方法。
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
熱を受けて液体を蒸発させるように配置された蒸発器部と、蒸発された液体から周囲環境に熱を伝達して前記蒸発された液体を凝縮するように配置された凝縮器部と、を含むサーモサイホン装置であって、
前記装置は、少なくとも１つの平坦マルチポート管構造を備え、
前記平坦マルチポート管構造は、１つ以上の流動経路を規定する第１部と、１つ以上の流動経路を規定する第２部と、前記マルチポート管構造の平面内で前記第１部と前記第２部との間に延在するウェブと、を有しており、
前記第１部が１つ以上の蒸発経路を規定し、前記第２部が１つ以上の蒸発経路、１つ以上の凝縮経路、若しくは前記蒸発器部の液体返却路を規定するか、あるいは、前記第１部が１つ以上の凝縮経路を規定し、前記第２部が１つ以上の蒸発経路、１つ以上の凝縮経路、若しくは前記凝縮器部の蒸気供給路を規定する、サーモサイホン装置。
【請求項２】
前記蒸発器部は、熱を受けて内部の液体を蒸発するように配置された少なくとも１つの蒸発経路と、前記少なくとも１つの蒸発経路に凝縮された液体を送達するための液体返却路と、を含み、
前記凝縮器部は、蒸発された液体から周囲環境に熱を伝達して前記蒸発された液体を凝縮するように配置された少なくとも１つの凝縮経路と、前記少なくとも１つの凝縮経路に蒸発された液体を送達するための蒸気供給路と、を含み、
前記少なくとも１つの蒸発経路及び前記液体返却路は、前記第１部が前記少なくとも１つの蒸発経路を規定し前記第２部が前記液体返却路を規定する平坦マルチポート管構造の一部であり、
前記少なくとも１つの凝縮経路及び前記蒸気供給路は、前記第２部が少なくとも１つの凝縮経路を規定し前記第１部が前記蒸気供給路を規定する平坦マルチポート管構造の一部である、請求項１の装置。
【請求項３】
前記少なくとも１つの蒸発経路を前記蒸気供給路と流体接続するとともに前記少なくとも１つの凝縮経路を前記液体返却路と流体接続する少なくとも１つのマニホルドをさらに備える、請求項２の装置。
【請求項４】
前記マニホルドは、内部空洞を規定する外壁と、前記内部空洞内に配置され前記内部空洞を蒸気チャンバと液体チャンバとに分離する分離壁と、を含む、請求項３の装置。
【請求項５】
前記外壁は、前記少なくとも１つの蒸発経路を規定する前記第１部のマニホルド端部、前記液体返却路を規定する前記第２部のマニホルド端部、前記少なくとも１つの凝縮経路を規定する前記第２部のマニホルド端部、及び前記蒸気供給路を規定する前記第１部のマニホルド端部、を受容するためのそれぞれ別個の開口を含む、請求項４の装置。
【請求項６】
前記分離壁は、前記少なくとも１つの蒸発経路が前記蒸気チャンバと流体連通し、前記液体返却路が前記液体チャンバと流体連通するように、前記マニホルド内に位置決めされる、請求項５の装置。
【請求項７】
前記分離壁は、前記少なくとも１つの凝縮経路が前記液体チャンバと流体連通し、前記蒸気供給路が前記蒸気チャンバと流体連通するように位置決めされる、請求項６の装置。
【請求項８】
前記装置は、
少なくとも１つの蒸発経路を規定する第１部及び前記液体返却路を規定する第２部をそれぞれが含む複数の平坦マルチポート管構造と、
少なくとも１つの凝縮経路を規定する第２部及び前記蒸気供給路を規定する第１部をそれぞれが含む複数の平坦マルチポート管構造と、
を含む、請求項５の装置。
【請求項９】
前記分離壁は、前記蒸発経路が前記蒸気チャンバと流体連通し、前記液体返却路が前記液体チャンバと流体連通するように位置決めされている、請求項８の装置。
【請求項１０】
前記分離壁は、前記凝縮経路が前記液体チャンバと流体連通し、前記蒸気供給路が前記蒸気チャンバと流体連通するように位置決めされている、請求項９の装置。
【請求項１１】
単一の平坦マルチポート管構造は、前記少なくとも１つの蒸発経路及び前記蒸気供給路を規定する前記第１部と、前記液体返却路及び前記少なくとも１つの凝縮経路を規定する前記第２部と、を含む、請求項２の装置。
【請求項１２】
少なくとも１つの蒸発経路及び蒸気供給路を規定する第１部と、液体返却路及び少なくとも１つの凝縮経路を規定する第２部と、をそれぞれが含む複数の平坦マルチポート管構造を備える、請求項１１の装置。
【請求項１３】
前記平坦マルチポート管構造は、前記平坦マルチポート管構造の平面内で前記第１部又は前記第２部から外向きに延びる横ウェブを含む、請求項１の装置。
【請求項１４】
前記第１部は、複数の蒸発器経路を規定し、
前記第２部は、前記液体返却路を規定する、請求項１の装置。
【請求項１５】
前記第１部は、複数の凝縮器経路を規定し、
前記第２部は、前記蒸気供給路を規定する、請求項１の装置。
【請求項１６】
前記第１部は、複数の凝縮器経路を規定し、
前記第２部は、複数の凝縮器経路を規定する、請求項１の装置。
【請求項１７】
前記第１部は、複数の蒸発経路を規定し、
前記第２部は、複数の凝縮器経路を規定する、請求項１の装置。
【請求項１８】
前記第１部が複数の凝縮器経路を規定し、前記第２部が前記蒸気供給路を規定する前記装置において、
前記マルチポート管構造は、複数の凝縮器経路を規定する第３部と、前記マルチポート管構造の平面内で前記第２部と前記第３部との間に延在する第２のウェブと、をさらに備える、請求項１の装置。
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
ガラスの全重量に対して表した重量パーセント値の単位で：
６５≦ＳｉＯ２≦７８％
５≦Ｎａ２Ｏ≦２０％
０≦Ｋ２Ｏ＜５％
３＜Ａｌ２Ｏ３≦５％
０＜ＣａＯ＜４．５％
４≦ＭｇＯ≦１２％を含み；
０．８８≦［ＭｇＯ／（ＭｇＯ＋ＣａＯ）］＜１
を含む、ホウ素フリーおよびリチウムフリーのガラス組成を有するガラス板。
【請求項２】
前記組成が０＜ＣａＯ＜２重量％を含むことを特徴とする請求項１に記載のガラス板。
【請求項３】
前記組成が０．００２〜１．７重量％の範囲の含有量の全鉄（Ｆｅ２Ｏ３の形態で表される）を含むことを特徴とする請求項２に記載のガラス板。
【請求項４】
前記組成が０．００２〜０．０６重量％の範囲の含有量の全鉄（Ｆｅ２Ｏ３の形態で表される）を含むことを特徴とする請求項３に記載のガラス板。
【請求項５】
前記組成が０．００２〜０．０２重量％の範囲の含有量の全鉄（Ｆｅ２Ｏ３の形態で表される）を含むことを特徴とする請求項４に記載のガラス板。
【請求項６】
前記組成が４≦Ａｌ２Ｏ３≦５重量％を含むことを特徴とする請求項１〜５のいずれか一項に記載のガラス板。
【請求項７】
前記組成が４≦Ａｌ２Ｏ３≦４．５重量％を含むことを特徴とする請求項６に記載のガラス板。
【請求項８】
前記組成が４．５≦Ａｌ２Ｏ３≦５重量％を含むことを特徴とする請求項５に記載のガラス板。
【請求項９】
前記組成が０≦Ｋ２Ｏ≦４重量％を含むことを特徴とする請求項１〜８のいずれか一項に記載のガラス板。
【請求項１０】
前記組成が０．９≦［ＭｇＯ／（ＭｇＯ＋ＣａＯ）］＜１を含むことを特徴とする請求項１〜９のいずれか一項に記載のガラス板。
【請求項１１】
前記組成が０．８８≦［ＭｇＯ／（ＭｇＯ＋ＣａＯ）］≦０．９８を含むことを特徴とする請求項１〜９のいずれか一項に記載のガラス板。
【請求項１２】
前記組成が０．９≦［ＭｇＯ／（ＭｇＯ＋ＣａＯ）］≦０．９８を含むことを特徴とする請求項１１に記載のガラス板。
【請求項１３】
前記組成が０．９２≦［ＭｇＯ／（ＭｇＯ＋ＣａＯ）］≦０．９８を含むことを特徴とする請求項１２に記載のガラス板。
【請求項１４】
化学強化される、請求項１〜１３のいずれか一項に記載のガラス板。
【請求項１５】
電子デバイス中での請求項１〜１４のいずれか一項に記載のガラス板の使用。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
２型糖尿病患者における尿中アルブミン排泄の進行の低減における使用のための、リキシセナチドまたは／およびその医薬的に許容される塩を含む医薬組成物。
【請求項２】
２型糖尿病患者における尿中アルブミン排泄の低減における使用のための、リキシセナチドまたは／およびその医薬的に許容される塩を含む医薬組成物。
【請求項３】
患者は、少なくとも１つの急性冠動脈症候群事象を経験している、請求項１または２に記載の医薬組成物。
【請求項４】
少なくとも１つの急性冠動脈症候群事象は、自然発生的な急性冠動脈症候群事象である、請求項３に記載の医薬組成物。
【請求項５】
少なくとも１つの急性冠動脈症候群事象は、ＳＴ部分上昇型心筋梗塞を包含する、請求項３または４に記載の医薬組成物。
【請求項６】
少なくとも１つの急性冠動脈症候群事象は、非ＳＴ部分上昇型心筋梗塞を包含する、請求項３または４に記載の医薬組成物。
【請求項７】
少なくとも１つの急性冠動脈症候群事象は、不安定狭心症を包含する、請求項３〜６のいずれか１項に記載の医薬組成物。
【請求項８】
患者は、心血管系死亡、非致死性心筋梗塞、非致死性脳卒中、不安定狭心症、不安定狭心症による入院、非致死性心不全、心不全または／および冠動脈血行再建術による入院のリスクを有する、請求項１〜７のいずれか１項に記載の医薬組成物。
【請求項９】
心血管系死亡、非致死性心筋梗塞、非致死性脳卒中、不安定狭心症、不安定狭心症による入院、非致死性心不全、心不全または／および血行再建術による入院のリスクが処置される、請求項１〜８のいずれか１項に記載の医薬組成物。
【請求項１０】
ｈｓ−ＣＲＰ、ＢＮＰまたは／およびＮＴ−ｐｒｏＢＮＰの血漿濃度は、リキシセナチドまたは／およびその医薬的に許容される塩での処置によって低減される、請求項１〜９のいずれか１項に記載の医薬組成物。
【請求項１１】
患者は、
（ａ）メトホルミンもしくは／およびその医薬的に許容される塩、
（ｂ）インスリンもしくは／およびその医薬的に許容される塩、
（ｃ）グリニドもしくは／およびその医薬的に許容される塩、
または／ならびに
（ｄ）スルホニル尿素もしくは／およびその医薬的に許容される塩
と組み合わせて、リキシセナチドまたは／およびその医薬的に許容される塩を受ける、請求項１〜１０のいずれか１項に記載の医薬組成物。
【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
ａ）容器の混合体積内に、カチオン性リガンドで官能化したルーズ・ステープル・ファイバー及び生物学的組成物を配置するステップであって、前記カチオン性リガンドで官能化したルーズ・ステープル・ファイバーが、カチオン化可能なモノマー単位を１０〜１００重量％含むグラフト化アクリル系ポリマーを含む改質表面層を有し、前記カチオン性リガンドで官能化したルーズ・ステープル・ファイバーの少なくとも一部がフィブリル化されている、ステップと、
ｂ）前記生物学的組成物及び前記カチオン性リガンドで官能化したルーズ・ステープル・ファイバーを、それらが前記混合体積内で互いに緊密に接触して、改質されたファイバー及び精製された生物学的組成物が提供されるまでの間、撹拌するステップと、
ｃ）前記改質されたファイバー、及び接触している、カチオン性リガンドで官能化した任意のルーズ・ステープル・ファイバーから、前記精製された生物学的組成物の少なくとも一部を分離するステップと、を含む、生物学的組成物の精製方法。
【請求項２】
前記カチオン性リガンドで官能化したルーズ・ステープル・ファイバーが、前記生物学的組成物が前記混合体積内に配置される前に前記混合体積内に配置される、請求項１に記載の方法。
【請求項３】
ステップｂ）が、少なくとも部分的にスタティックミキサーを使用して実施される、請
求項１又は２に記載の方法。
【請求項４】
前記生物学的組成物が、合成高分子凝集剤を含有する、請求項１〜３のいずれか一項に記載の方法。
【請求項５】
前記グラフト化アクリル系ポリマーが、多官能性モノマー単位を更に含む、請求項１〜４のいずれか一項に記載の方法。
【請求項６】
前記グラフト化アクリル系ポリマーが、少なくとも１種の非イオン性親水性モノマー単
位を０．１〜９０重量％更に含む、請求項１〜５のいずれか一項に記載の方法。
【請求項７】
前記非イオン性親水性モノマー単位が、４〜６個の炭素原子を有するＮ−ビニルラクタムを含む、請求項６に記載の方法。
【請求項８】
前記カチオン化可能なモノマー単位が、次式により表される二価のモノマー単位：
【化１】
2018513848.tif 000001
［式中、Ｒ１は、Ｈ、又は１〜４個の炭素原子を有するアルキル基であり、
Ｒ２は、カテナリーカルボニルオキシ、カルボニルアミノ、オキシカルボニルアミノ、又はウレイレン二価結合基で任意に置換された二価のアルキレン基であり、
各Ｒ３は、独立して、Ｈ、又は１〜４個の炭素原子を有するアルキル基であり、
Ｒ４は、Ｈ、又は１〜４個の炭素原子を有するアルキル基、又は−Ｎ（Ｒ３）２であり、及び
Ｘ１は、−Ｏ−又は−ＮＲ３−である。］である、請求項１〜７のいずれか一項に記載の方法。
【請求項９】
前記カチオン化可能なモノマー単位が、次式により表される二価のモノマー単位：
【化２】
2018513848.tif 000002
［式中、Ｒ１は、Ｈ、又は１〜４個の炭素原子を有するアルキル基であり、
Ｒ２は、カテナリーカルボニルオキシ、カルボニルアミノ、オキシカルボニルアミノ、又はウレイレン二価結合基で任意に置換された二価のアルキレン基であり、
各Ｒ３は、独立して、Ｈ、又は１〜４個の炭素原子を有するアルキル基である。］を含む、請求項１〜７のいずれか一項に記載の方法。
【請求項１０】
前記容器がシールされた標本バッグを含む、請求項１〜９のいずれか一項に記載の方法。
【請求項１１】
ステップｃ）が、前記改質されたファイバー及びカチオン性リガンドで官能化した任意のルーズ・ステープル・ファイバーの少なくとも一部を多孔質基材上に配置することを含む、請求項１〜１０のいずれか一項に記載の方法。
【請求項１２】
内部に配置された混合体積を有する容器と、
前記混合体積内に配置された、カチオン性リガンドで官能化したルーズ・ステープル・ファイバーと、を含み、
前記カチオン性リガンドで官能化したルーズ・ステープル・ファイバーは、少なくとも１種のカチオン化可能なアクリル系モノマー単位を１０〜１００重量％含むグラフト化アクリル系ポリマーを含む改質表面層を有し、前記カチオン性リガンドで官能化したルーズ・ステープル・ファイバーの少なくとも一部がフィブリル化されている、生物学的組成物を精製するための物品。
【請求項１３】
前記グラフト化アクリル系ポリマーが、多官能性モノマー単位を含む、請求項１２に記載の物品。
【請求項１４】
前記グラフト化アクリル系ポリマーが、少なくとも１種の非イオン性親水性モノマー単位を０．１〜９０重量％更に含む、請求項１２又は１３に記載の物品。
【請求項１５】
前記非イオン性親水性モノマー単位が、４〜６個の炭素原子を有するＮ−ビニルラクタムを含む、請求項１４に記載の物品。
【請求項１６】
前記カチオン化可能なアクリル系モノマー単位が、次式により表される、請求項１２〜１５のいずれか一項に記載の物品。
【化３】
2018513848.tif 000003
［式中、Ｒ１は、Ｈ、又は１〜４個の炭素原子を有するアルキル基であり、
Ｒ２は、カテナリーカルボニルオキシ、カルボニルアミノ、オキシカルボニルアミノ、又はウレイレン二価結合基で任意に置換された二価のアルキレン基であり、
各Ｒ３は、独立して、Ｈ、又は１〜４個の炭素原子を有するアルキル基であり、
Ｒ４は、Ｈ、又は１〜４個の炭素原子を有するアルキル基、又は−Ｎ（Ｒ３）２であり、及び
Ｘ１は、−Ｏ−又は−ＮＲ３−である。］
【請求項１７】
前記カチオン化可能なモノマー単位が、次式により表される二価のモノマー単位：
【化４】
2018513848.tif 000004
［式中、Ｒ１は、Ｈ、又は１〜４個の炭素原子を有するアルキル基であり、
Ｒ２は、カテナリーカルボニルオキシ、カルボニルアミノ、オキシカルボニルアミノ、又はウレイレン二価結合基で任意に置換された二価のアルキレン基であり、
各Ｒ３は、独立して、Ｈ、又は１〜４個の炭素原子を有するアルキル基である。］を含む、請求項１２〜１５のいずれか一項に記載の物品。
【請求項１８】
前記生物学的組成物が、合成高分子凝集剤を含有する、請求項１２〜１７のいずれか一項に記載の物品。
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
少なくとも1つの以下の配列：
5'-GGACGUGUGUGGAUGUUUAdTdT-3'（配列番号1）；
5'-GGAUGUUUACGAGAGAGAUdTdT-3'（配列番号2）；
5'-AGUCCCACCUCAUGUUUGCdTdT-3'（配列番号3）；
それらのアンチセンス配列又はそれらの機能的多様体を含む、干渉リボ核酸、PNA（プロテイン核酸）又はLNA（ロックド核酸）であるオリゴヌクレオチドから選択されるTSC22D4の発現及び／又は生物学的活性の阻害剤。
【請求項２】
前記干渉リボ核酸が、低分子干渉リボ核酸（siRNA）若しくは低分子ヘアピン型リボ核酸（shRNA）若しくはマイクロリボ核酸（miRNA）又はそれらの組み合わせである、請求項1に記載の阻害剤。
【請求項３】
前記干渉リボ核酸がsiRNAであり、該siRNAは、19ヌクレオチドから30ヌクレオチドの間の長さを有する、請求項1又は2に記載の阻害剤。
【請求項４】
前記干渉リボ核酸がsiRNAであり、該siRNAが、配列番号1〜配列番号3による配列からなる、請求項1〜3のいずれか一項に記載の阻害剤。
【請求項５】
前記のそれらの機能的多様体が、少なくとも1つの修飾又は置換ヌクレオチドを含む、請求項1〜3のいずれか一項に記載の阻害剤。
【請求項６】
請求項1〜5のいずれか一項に記載のオリゴヌクレオチドを含む、組換えベクター。
【請求項７】
請求項1〜5のいずれか一項に記載のオリゴヌクレオチド又は請求項6に記載の組換えベクターを含む、組換え細胞又は組換え肝細胞。
【請求項８】
請求項1〜5のいずれか一項に記載の阻害剤、請求項6に記載の組換えベクター及び請求項7に記載の組換え細胞の少なくとも1つを、医薬品に許容可能な担体と一緒に含む、医薬組成物。
【請求項９】
経口投与、直腸内投与、経粘膜投与、経皮投与、腸内投与、非経口投与、筋内投与、髄腔内投与、直接脳室内投与、静脈内投与、腹腔内投与、鼻内投与、眼内投与又は皮下投与のための医薬組成物である、請求項8に記載の医薬組成物。
【請求項１０】
疾患の予防、調節及び／又は治療において使用するための、請求項1〜5のいずれか一項に記載の阻害剤、請求項6に記載の組換えベクター、請求項7に記載の組換え細胞又は請求項8若しくは9に記載の医薬組成物。
【請求項１１】
前記疾患が、インスリン抵抗性、高血圧、脂質異常症、冠動脈疾患、メタボリックシンドローム及び／又は1型若しくは2型糖尿病から選択される、請求項10に記載の使用のための、及び／又は腫瘍性疾患の状況におけるインスリン感受性を改善するための、請求項1〜5のいずれか一項に記載の阻害剤、請求項6に記載の組換えベクター、請求項7に記載の組換え細胞又は請求項8若しくは9に記載の医薬組成物。
【請求項１２】
インスリン抵抗性症候群が、食餌誘発性インスリン抵抗性及び／又は肥満誘発性インスリン抵抗性である、請求項11に記載の使用のための、請求項1〜5のいずれか一項に記載の阻害剤、請求項6に記載の組換えベクター、請求項7に記載の組換え細胞又は請求項8若しくは9に記載の医薬組成物。
【請求項１３】
請求項1〜5のいずれか一項に記載の阻害剤、請求項6に記載の組換えベクター、請求項7に記載の組換え細胞又は請求項8若しくは9に記載の医薬組成物を含む、又は、
請求項1〜5のいずれか一項に記載の阻害剤、請求項6に記載の組換えベクター、請求項7に記載の組換え細胞又は請求項8若しくは9に記載の医薬組成物、及び適切なバッファー及び賦形剤並びに使用のための説明書と一緒に含む、治療用キット。
【請求項１４】
インスリン抵抗性、高血圧、脂質異常症、冠動脈疾患、メタボリックシンドローム及び／又は1型若しくは2型糖尿病から選択される疾患の予防、調節及び／又は治療において使用するための、及び／又は腫瘍性疾患の状況におけるインスリン感受性を改善するための、請求項13に記載の治療用キット。
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
ｉ．脂質外膜、および
ｉｉ．前記脂質外膜によって包まれた
以下の化学式Ｉ：
【化１】
2018513883.tif 000001
を有するポリマーであって、式中、ｐは１または２であり、ｎは２から１０，０００の整数であり、
Ｘは、水素または式：
【化２】
2018513883.tif 000002
を有するメトホルミンの残基であり、
前記ポリマー中のＸの少なくとも５％はメトホルミンの残基である、ポリマー
を含むナノ粒子。
【請求項２】
脂質外膜によって包まれたヒアルロン酸または核酸をさらに含む、請求項１に記載のナノ粒子。
【請求項３】
請求項１に記載のポリマーと複合体を形成した積荷であって、治療用薬剤である積荷をさらに含む、請求項１に記載のナノ粒子。
【請求項４】
前記積荷は、生物製剤である、請求項３に記載のナノ粒子。
【請求項５】
前記積荷は、抗がん薬である、請求項４に記載のナノ粒子。
【請求項６】
前記積荷は、ヌクレオチドである、請求項４に記載のナノ粒子。
【請求項７】
前記積荷は、ｓｉＲＮＡまたはｐＤＮＡである、請求項４に記載のナノ粒子。
【請求項８】
前記脂質外膜は、カチオン性脂質を含む、請求項１に記載のナノ粒子。
【請求項９】
前記脂質外膜は、ＤＯＴＡＰおよびコレステロールを含む、請求項１に記載のナノ粒子。
【請求項１０】
前記脂質外膜は、標的化リガンドを含み、かつ／またはペグ化される、請求項１に記載のナノ粒子。
【請求項１１】
前記ナノ粒子が、約１，０００ｎｍ未満である少なくとも１つの寸法を有する、請求項１に記載のナノ粒子。
【請求項１２】
直径が約１００ｎｍ未満の球の形状を有する、請求項１に記載のナノ粒子。
【請求項１３】
請求項１または２に記載のナノ粒子を含む、疾患を処置するための医薬組成物。
【請求項１４】
前記疾患は、がんである、請求項１３に記載の組成物。
【請求項１５】
前記疾患は、糖尿病である、請求項１３に記載の組成物。
【請求項１６】
前記ポリマーは、さらに積荷を含む、請求項１３に記載の組成物。
【請求項１７】
前記積荷は、治療用薬剤である、請求項１６に記載の組成物。
【請求項１８】
脂質外膜および
式Ｉ：
【化３】
2018513883.tif 000003
の化合物であって、式中、Ｒは、
【化４】
2018513883.tif 000004
から成る群から選択され、Ｒ１はステロールである、化合物
を含むナノ粒子。
【請求項１９】
ＤＯＰＥをさらに含む、請求項１８に記載のナノ粒子。
【請求項２０】
前記脂質外膜によって包まれたヒアルロン酸または核酸をさらに含む、請求項１９に記載のナノ粒子。
【請求項２１】
Ｒ１は、
【化５】
2018513883.tif 000005
である、請求項１８に記載のナノ粒子。
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
ゲル組成物であって、前記ゲル組成物の総重量に基づいて、
（ａ）１０〜３０重量％のシリコーン含有フィルム形成ポリマー、
（ｂ）２〜２０重量％の粘着付与剤、
（ｃ）６０〜８０重量％の揮発性溶媒、及び
（ｄ）０．５〜２０重量％の架橋されたカチオン性ポリマー、を含み、
前記ゲル組成物のＢｒｏｏｋｆｉｅｌｄ粘度が少なくとも５０，０００ｃｐｓかつ８００，０００ｃｐｓ以下であり、
前記ゲル組成物は、乾燥して、剥離により取り外すことができる絆創膏及び／又は組織保護材を形成することができる、ゲル組成物。
【請求項２】
前記フィルム形成ポリマーが、ポリジオルガノシロキサンポリウレア、ポリジオルガノシロキサンポリアミン、ポリシロキサンカーボネート、ポリジオルガノシロキサンポリアミド及びこれらの組み合わせのうちの少なくとも一つを含む、請求項１に記載の組成物。
【請求項３】
前記フィルム形成ポリマーが、ポリジオルガノシロキサンポリオキサミドである、請求項１又は２に記載の組成物。
【請求項４】
凝固剤を含有する、請求項１〜３のいずれか一項に記載の組成物。
【請求項５】
前記カチオン性ポリマーが、グアニジニル含有ポリマーを含む、請求項１〜４のいずれか一項に記載の組成物。
【請求項６】
前記グアニジニル含有ポリマーが、１個以上のグアニジニル基により官能化されたアミノポリマーである、請求項５に記載の組成物。
【請求項７】
前記グアニジニル含有ポリマーがグアニジニル化ポリエチレンイミンである、請求項５又は６に記載の組成物。
【請求項８】
前記カチオン性ポリマーが凝固剤として作用する、請求項１〜７のいずれか一項に記載の組成物。
【請求項９】
前記揮発性溶媒が、イソオクタン、ヘキサメチルジシロキサン及びこれらの組み合わせからなる群から選択される、請求項１〜８のいずれか一項に記載の組成物。
【請求項１０】
前記フィルム形成ポリマーと粘着付与剤が前記揮発性溶媒に実質的に可溶である、請求項１〜９のいずれか一項に記載の組成物。
【請求項１１】
前記ゲル組成物の総重量に基づいて、最大２重量％のシリコーン界面活性剤をさらに含む、請求項１〜１０のいずれか一項に記載の組成物。
【請求項１２】
前記粘着付与剤がＭＱ樹脂である、請求項１〜１１のいずれか一項に記載の組成物。
【請求項１３】
前記ゲル組成物の全固形分含量が、少なくとも約１５重量％である、請求項１〜１２のいずれか一項に記載の組成物。
【請求項１４】
消毒剤をさらに含む、請求項１〜１３のいずれか一項に記載の組成物。
【請求項１５】
請求項１〜１４のいずれか一項に記載のゲル組成物を乾燥させて形成された絆創膏。
【請求項１６】
少なくとも３００ｇ／ｍ２／２４時間の直立ＭＶＴＲを有する、請求項１５に記載の絆創膏。
【請求項１７】
少なくとも５０ｇ／インチかつ９００ｇ／インチ以下の皮膚接着力を有する、請求項１５又は１６に記載の絆創膏。
【請求項１８】
約１００％〜約１４００％の伸長を有する、請求項１５〜１７のいずれか一項に記載の絆創膏。
【請求項１９】
少なくとも０．３ＭＰａの最大引張強度を有する、請求項１５〜１８のいずれか一項に記載の絆創膏。
【請求項２０】
約２ｍｉｌ〜約２０ｍｉｌの厚さを有する、請求項１５〜１９のいずれか一項に記載の絆創膏。
【請求項２１】
ヒトの皮膚からの１８０°剥離接着力が約２５ｇ／インチ〜約１０００ｇ／インチである、請求項１５〜２０のいずれか一項に記載の絆創膏。
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
４−［２−（シクロプロピルメトキシ）−５−メチルスルホニルフェニル］−２−メチルイソキノリン−１−オンの結晶形態Ａを含む医薬組成物。
【請求項２】
７．８、９．０、１５．７、１８．０、２１．１、２２．０、２３．６、および２４．５の２シータ（θ）でＸ線粉末回折（ＸＲＰＤ）反射ピークを示すことを特徴とする、４−［２−（シクロプロピル−メトキシ）−５−メチルスルホニルフェニル］−２−メチルイソキノリン−１−オンの結晶形態Ａを含む医薬組成物。
【請求項３】
非晶質の４−［２−（シクロプロピルメトキシ）−５−メチルスルホニルフェニル］−２−メチルイソキノリン−１−オンの固体形態を含む医薬組成物。
【請求項４】
４−［２−（シクロプロピルメトキシ）−５−メチルスルホニルフェニル］−２−メチルイソキノリン−１−オンを含む医薬組成物であって、４−［２−（シクロプロピルメトキシ）−５−メチルスルホニルフェニル］−２−メチルイソキノリン−１−オンは噴霧乾燥により処理される、医薬組成物。
【請求項５】
４−［２−（シクロプロピルメトキシ）−５−メチルスルホニルフェニル］−２−メチルイソキノリン−１−オンを含む医薬組成物であって、４−［２−（シクロプロピルメトキシ）−５−メチルスルホニルフェニル］−２−メチルイソキノリン−１−オンは、超臨界ＣＯ２溶液（ＲＥＳＳ）プロセスの急速な拡大により微粒子化される、医薬組成物。
【請求項６】
４−［２−（シクロプロピルメトキシ）−５−メチルスルホニルフェニル］−２−メチルイソキノリン−１−オンと少なくとも１つの固体のマトリックスポリマーを含む、医薬組成物。
【請求項７】
固体のマトリックスポリマーはポリビニルピロリドンまたはポリビニルピロリドン誘導体である、請求項６に記載の医薬組成物。
【請求項８】
固体のマトリックスポリマーはセルロース誘導体である、請求項６に記載の医薬組成物。
【請求項９】
セルロース誘導体は、ヒドロキシプロピルメチルセルロースである、請求項８に記載の医薬組成物。
【請求項１０】
セルロース誘導体は、ヒドロキシプロピルメチルセルロースフタラートである、請求項８に記載の医薬組成物。
【請求項１１】
セルロース誘導体は、ヒドロキシプロピルメチルセルロースアセテートステアラートである、請求項８に記載の医薬組成物。
【請求項１２】
セルロース誘導体は、ヒドロキシプロピルメチルセルロースアセテートスクシナートである、請求項８に記載の医薬組成物。
【請求項１３】
医薬組成物は噴霧乾燥によって処理される、請求項１−１２のいずれか１つに記載の医薬組成物。
【請求項１４】
４−［２−（シクロプロピルメトキシ）−５−メチルスルホニルフェニル］−２−メチルイソキノリン−１−オン対固体のマトリックスポリマーの比率が約１：１〜約１：９である、請求項１−１３のいずれか１つに記載の医薬組成物。
【請求項１５】
４−［２−（シクロプロピルメトキシ）−５−メチルスルホニルフェニル］−２−メチルイソキノリン−１−オン対固体のマトリックスポリマーの比率が１：１、１：２、１：３、１：４、１：５、１：６、１：７、１：８、または１：９から選択される、請求項１０に記載の医薬組成物。
【請求項１６】
（ａ）４−［２−（シクロプロピルメトキシ）−５−メチルスルホニルフェニル］−２−メチルイソキノリン−１−オンの非晶質形態と、（ｂ）ポリビニルピロリドンまたはヒドロキシプロピルメチルセルロースから選択されたポリマーとを含む、固体のポリマーマトリックスを含んでいる医薬組成物であって、固体のポリマーマトリックスは噴霧乾燥分散剤である、医薬組成物。
【請求項１７】
ポリマーは、約１：３の４−［２−（シクロプロピルメトキシ）−５−メチルスルホニルフェニル］−２−メチルイソキノリン−１−オン：ポリマーの比率で存在するヒドロキシプロピルメチルセルロースである、請求項１６に記載の医薬組成物。
【請求項１８】
ポリマーは、約１：１の４−［２−（シクロプロピルメトキシ）−５−メチルスルホニルフェニル］−２−メチルイソキノリン−１−オン：ポリマーの比率で存在するヒドロキシプロピルメチルセルロースである、請求項１６に記載の医薬組成物。
【請求項１９】
ポリマーは、約１：３の４−［２−（シクロプロピルメトキシ）−５−メチルスルホニルフェニル］−２−メチルイソキノリン−１−オン：ポリマーの比率で存在するポリビニルピロリドンである、請求項１６に記載の医薬組成物。
【請求項２０】
ポリマーは、約１：１の４−［２−（シクロプロピルメトキシ）−５−メチルスルホニルフェニル］−２−メチルイソキノリン−１−オン：ポリマーの比率で存在するポリビニルピロリドンである、請求項１６に記載の医薬組成物。
【請求項２１】
癌または他の腫瘍性疾患の処置のための薬物の調製のための、請求項１−２０のいずれか１つに記載の医薬組成物の使用。
【請求項２２】
医薬組成物は、（ａ）４−［２−（シクロプロピルメトキシ）−５−メチルスルホニルフェニル］−２−メチルイソキノリン−１−オンの非晶質形態と、（ｂ）ポリビニルピロリドンまたはヒドロキシプロピルメチルセルロースから選択されたポリマーとを含む、固体のポリマーマトリックスを含み、固体のポリマーマトリックスは噴霧乾燥分散剤である、請求項２１に記載の使用。
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
シェーグレン症候群の治療および／または予防における、Ｎ−｛（Ｒ）−１−［８−クロロ−２−（１−オキシピリジン−３−イル）キノリン−３−イル］−２，２，２−トリフルオロエチル｝−ピリド［３，２−ｄ］ピリミジン−４−イルアミンまたはその薬学的に許容可能な塩の使用。
【請求項２】
有効量のＮ−｛（Ｒ）−１−［８−クロロ−２−（１−オキシピリジン−３−イル）キノリン−３−イル］−２，２，２−トリフルオロエチル｝ピリド［３，２−ｄ］−ピリミジン−４−イルアミンまたはその薬学的に許容可能な塩を含む、シェーグレン症候群の治療および／または予防のための医薬組成物。
【請求項３】
シェーグレン症候群の治療および／または予防のための医薬の製造のための、Ｎ−｛（Ｒ）−１−［８−クロロ−２−（１−オキシピリジン−３−イル）キノリン−３−イル］−２，２，２−トリフルオロエチル｝ピリド［３，２−ｄ］ピリミジン−４−イルアミンまたはその薬学的に許容可能な塩の使用。
【請求項４】
シェーングレン症候群が原発性シェーグレン症候群である、請求項１に記載の使用、または請求項２に記載の医薬組成物、または請求項３に記載の使用。
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
糖尿病治療剤及びグルコース感受部分を含むマトリックスを含むマイクロニードルアレイであって、該グルコース感受部分は、フェニルボロン酸（PBA）若しくはその誘導体、グルコース結合タンパク質（GBP）、及びグルコースオキシダーゼ（GOx）若しくはその生物学的に活性な変異体から成る群から選択され、該マトリックスは、グルコース濃度変化に応答して、収縮、膨張及び解離から選択される構造的変形が起こることができて、これがグルコース刺激インスリン放出をもたらし、該マイクロニードルアレイが、それぞれ２０〜１０００μｍの長さを有する多数のマイクロニードルを含む、マイクロニードルアレイ。
【請求項２】
前記糖尿病治療剤が、インスリン又はその生物活性誘導体である請求項１に記載のマイクロニードルアレイ。
【請求項３】
前記マイクロニードルアレイが皮膚パッチの一部として提供される請求項１又は２に記載のマイクロニードルアレイ。
【請求項４】
前記パッチが１以上の裏張り層及び／又は皮膚適合性接着剤を含む請求項請３に記載のマイクロニードルアレイ。
【請求項５】
請求項１〜４のいずれか一項に記載のマイクロニードルアレイを含む閉ループ糖尿病治療剤送達システム。
【請求項６】
前記マイクロニードルアレイが小胞を含み、該小胞が、低酸素感受性疎水基に結合した親水性ポリマーを含む両親媒性ポリマー材料を含む小胞であって、該低酸素感受性疎水基が、低酸素環境下で還元されて親水性部分を形成することができる低酸素感受性部分を含み、さらに、（ｉ）糖尿病治療剤及び（ｉｉ）グルコース感受部分が該小胞内に含まれており、該グルコース感受部分グルコース酸化剤である、請求項１〜４のいずれか一項に記載のマイクロニードルアレイ。
【請求項７】
前記親水性ポリマーが生分解性である請求項６に記載のマイクロニードルアレイ。
【請求項８】
前記親水性ポリマーが、ポリアミノ酸、合成ブロックコポリマー、又は多糖類である、請求項６に記載のマイクロニードルアレイ。
【請求項９】
前記親水性ポリマーが、多糖類であり、該多糖類がグルコサミノグリカンである請求項８に記載のマイクロニードルアレイ。
【請求項１０】
前記低酸素感受性部分がニトロイミダゾールを含む請求項６に記載のマイクロニードルアレイ。
【請求項１１】
前記疎水基が前記親水性ポリマーに共有結合で結合している請求項６に記載のマイクロニードルアレイ。
【請求項１２】
前記両親媒性ポリマー材料が、アミノ置換された疎水基前駆体のアミノ基に結合した親水性ポリマーを含み、それにより該アミノ基と前記親水性ポリマー上に存在するカルボン酸基との間にアミドを形成する請求項６に記載のマイクロニードルアレイ。
【請求項１３】
前記両親媒性ポリマー材料が、６−（２−ニトロイミダゾール）ヘキシルアミンに結合したヒアルロン酸を含む請求項６に記載のマイクロニードルアレイ。
【請求項１４】
前記グルコース酸化剤が、グルコースオキシダーゼ（ＧＯｘ）である請求項６に記載のマイクロニードルアレイ。
【請求項１５】
前記糖尿病治療剤がインスリン又はその生物活性誘導体であり、該インスリン又はその生物活性誘導体が、ヒトインスリン、組換えヒトインスリン、非ヒト動物由来のインスリン、速効型インスリン、超速効型インスリン類似体、中間型インスリン及び／又は持続型インスリンから選択される請求項６に記載のマイクロニードルアレイ。
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
ポリマーを含むポリマーナノ粒子；及び
ポリマーナノ粒子内に封入される感光性化合物を含む組成物であって、
感光性化合物は、以下の式を有するフタロシアニン又はフタロシアニン誘導体であり、
【化１】
2018513875.tif 000001
ここで、Ｒ１〜Ｒ１６は、水素、ハロゲン、ＮＯ２、シアノ、アミノ、アミノカルボニル、アミノスルホニル、カルボキシル、カルボキシルエステル、脂肪族、ヘテロ脂肪族、アリール、アリールオキシ、アリールチオ、ヘテロアリール、ヘテロアリールオキシ又はヘテロアリールチオから独立して選択されるか、或いは任意の２つの隣接Ｒ基が一緒になってアリール、ヘテロアリール、シクロアルキル又はヘテロシクロアルキル環を形成し；及び
Ｍは、場合によって１つ以上の疎水基で置換されているＳｉ（ＯＨ）２である、上記組成物。
【請求項２】
フタロシアニン誘導体は、以下の式を有するナフタロシアニンであり、
【化２】
2018513875.tif 000002
ここで、Ｒ１７〜Ｒ３２は、水素、ハロゲン、ＮＯ２、シアノ、アミノ、アミノカルボニル、アミノスルホニル、カルボキシル、カルボキシルエステル、脂肪族、ヘテロ脂肪族、アリール、アリールオキシ、アリールチオ、ヘテロアリール、ヘテロアリールオキシ又はヘテロアリールチオから選択されるか、或いは任意の２つの隣接Ｒ基が一緒になってアリール、ヘテロアリール、シクロアルキル又はヘテロシクロアルキル環を形成する、請求項１に記載の組成物。
【請求項３】
Ｒ１、Ｒ４、Ｒ５、Ｒ８、Ｒ９、Ｒ１２、Ｒ１３及びＲ１６〜Ｒ３２は、全て水素である、請求項１又は２に記載の組成物。
【請求項４】
Ｍは、ケイ素ビス（トリヘキシルシリルオキシド）、ヒドロキシシリルメチルコハク酸又はジメチルＯ，Ｏ’−シランジイルジコハク酸である、請求項１〜３のいずれか一項に記載の組成物。
【請求項５】
感光性化合物は、以下から選択される、請求項１に記載の組成物
【化３】
2018513875.tif 000003
又は
【化４】
2018513875.tif 000004
【請求項６】
感光性化合物は、以下である、請求項１に記載の組成物
【化５】
2018513875.tif 000005
【請求項７】
ポリマーが、ポリエチレングリコール−ブロック−ポリカプロラクトン（ＰＥＧ−ｂ−ＰＣＬ）、メトキシポリエチレングリコール−ブロック−ポリカプロラクトン（ｍＰＥＧ−ｂ−ＰＣＬ）、又はポリエチレングリコール−ブロック−ポリバレロラクトン（ＰＥＧ−ｂ−ＰＶＬ）である、請求項１に記載の組成物。
【請求項８】
ポリマーが、ｍＰＥＧ−ｂ−ＰＣＬである、請求項７に記載の組成物。
【請求項９】
感光性化合物が、０．０１ｍｇ／ｍＬ〜２．０ｍｇ／ｍＬの濃度でナノ粒子に充填される、請求項１に記載の組成物。
【請求項１０】
感光性化合物が、０．０５ｍｇ／ｍＬ〜０．３ｍｇ／ｍＬの濃度でナノ粒子に充填される、請求項１２に記載の組成物。
【請求項１１】
感光性化合物が、０．４ｍｇ／ｍＬ〜１ｍｇ／ｍＬの濃度でナノ粒子に充填される、請求項１２に記載の組成物。
【請求項１２】
ポリマーは、１３，０００Ｄａ〜２０，０００Ｄａの平均分子量を有する、請求項１に記載の組成物。
【請求項１３】
光感作化合物は、以下であり
【化６】
2018513875.tif 000006
及び
ポリマーは、約１５，０００Ｄａの平均分子量を有するｍＰＥＧ−ｂ−ＰＣＬである、請求項１に記載の組成物。
【請求項１４】
請求項１〜１３のいずれか一項に記載の組成物、及び薬学的に許容可能な添加剤を含む、医薬品。
【請求項１５】
がんの治療及び／又は診断に使用するための、請求項１〜１３のいずれか一項に記載の組成物、又は請求項１４に記載の医薬品。
【請求項１６】
がんが、卵巣がん、乳がん、前立腺がん、膵臓がん、頭頸部がん、肝臓がん、又は皮膚黒色腫である、請求項１５に記載の組成物。
【請求項１７】
治療又は診断方法において使用するための、請求項１〜１３のいずれか一項に記載の組成物。